(57)【要約】【課題】  流水ボールの排水口からの排水が、オーバーフロー管、そしてオーバーフロー孔を介して流水ボールへと逆流することを防止することができる、流水ボールにおける新しい逆流防止構造を提供する。【解決手段】  流水ボールを構成する洗面ボール１のオーバーフロー孔５に連設されたオーバーフロー管２と、排水口３に設置されている排水栓４との接続箇所に、洗面ボール１のオーバーフロー孔５からオーバーフロー管２への排水の流入のみによって排水栓４内方に開放する逆流防止弁６が配設されていることを特徴とする。【選択図】図１
2006265971.tif 000002
【特許請求の範囲】
【請求項１】
流水ボールのオーバーフロー孔に連設されたオーバーフロー管と、排水口に設置されている排水栓との接続箇所に、流水ボールのオーバーフロー孔からオーバーフロー管への排水の流入のみによって排水栓内方に開放する逆流防止弁が配設されていることを特徴とする流水ボールオーバーフロー管の逆流防止構造。
【発明の詳細な説明】
【技術分野】
【０００１】
本願発明は、洗面台に備えられている洗面ボール等の流水ボールにおけるオーバーフロー管の逆流防止構造に関するものである。
【背景技術】
【０００２】
従来の流水ボールを構成する洗面ボールでは、たとえば、図４（Ａ）（Ｂ）に示したように、洗面ボール１０１内に水や湯を溜めて使用するときに、洗面ボール１０１から湯水があふれ出るオーバーフローを防止するために、多くの場合洗面ボール１０１の壁面上部にオーバーフロー孔１０２が設けられている。洗面ボール１０１でオーバーフロー孔１０２位置まで水位が上がると、湯水はオーバーフロー孔１０２に流入し、これに連結されたオーバーフロー管１０３を通じて、洗面ボール１０１の排水口１０４に接続されている排水栓１０５を介して排水管１０６へと排水されるようにしている。
【０００３】
このようなオーバーフロー孔１０２やこれに連結するオーバーフロー管１０３を備えた従来の洗面ボール１０１においては、洗面ボール１０１からの排水時のオーバーフロー孔１０２からのエアー引き込み音の発生を防止するために、オーバーフロー孔１０２からの排水が必要な時には開放し、通常は閉じた状態にある開閉自在な弁をオーバーフロー孔１０２に設けることも提案されている（たとえば、特許文献１参照）。
【０００４】
しかしながら、オーバーフロー孔１０２、そしてオーバーフロー管１０３を備えた従来の洗面ボール１０１においては、図４（Ｂ）に実線矢印で示したように排水口１０４より排水した際に、排水された湯水の一部は、図中に破線矢印で示したようにオーバーフロー管１０３を通じ、オーバーフロー孔１０２から洗面ボール１０１へと逆流する場合があることが懸念されていた。これは、湯水には同じ水位を保とうとする作用が働くが、この作用によって、オーバーフロー管１０３の水位も上昇して、排水口１０４より排水され湯水がオーバーフロー管１０３、そしてオーバーフロー孔１０２より洗面ボール１０１内に逆流することが懸念されるからである。さらに、排水管１０６には、通常、ヘアキャッチャー等が備えられているため、これによる排水抵抗も逆流の一因となることが考えられるからである。このような懸念は、上記特許文献１記載のように、排水時のオーバーフロー孔１０２からのエアー引き込み音の発生を防止するための開閉自在な弁をオーバーフロー孔１０２に設けたとしても解消することができなかった。この場合の弁は、上記のような逆流防止の機能を有していないのである。
【特許文献１】特開平８−１８４０８４号公報
【発明の開示】
【発明が解決しようとする課題】
【０００５】
そこで、本願発明は、以上のとおりの背景から従来の問題点を解消し、洗面ボール等の流水ボールの排水口からの排水が、オーバーフロー管、そしてオーバーフロー孔を介して流水ボールへと逆流することを防止することができる、流水ボールにおける新しい逆流防止構造を提供することを課題としている。
【課題を解決するための手段】
【０００６】
本願発明は、上記の課題を解決するものとして、流水ボールのオーバーフロー孔に連設されたオーバーフロー管と、排水口に設置されている排水栓との接続箇所に、流水ボールのオーバーフロー孔からオーバーフロー管への排水の流入のみによって排水栓内方に開放する逆流防止弁が配設されていることを特徴とする。
【発明の効果】
【０００７】
本願発明によれば、流水ボールの排水口からの排水が、オーバーフロー管、そしてオーバーフロー孔を介して流水ボールへと逆流することを防止することができる。
【発明を実施するための最良の形態】
【０００８】
本願発明は、上記のとおりの特徴をもつものであるが、以下に、添付した図面に沿って、その実施の形態を説明する。
【０００９】
図１は、本願発明の流水ボールオーバーフロー管の逆流防止構造の一実施形態を例示した断面図である。
【００１０】
図２は、図１のＡ部を例示した要部拡大断面図であり、（Ａ）はオーバーフロー孔から湯水が排水されている状態を、（Ｂ）はオーバーフロー孔から湯水は排水されていない通常の状態を示している。また、図３は、図１のＡ部を例示した要部拡大斜視図である。
【００１１】
図１の例では、流水ボールを構成する洗面ボール１の壁面上部には湯水の洗面ボール１からのオーバーフローを防止するためのオーバーフロー孔５が設けられており、オーバーフロー孔５の位置まで水位が上がると、余分な湯水はオーバーフロー孔５に流入して、オーバーフロー管２を通じ、排水口３に接続されている排水栓４、そして排水管８へと排水され、これによってオーバーフローを防止することができる。
【００１２】
そして、オーバーフロー管２と、排水口３に接続されている排水栓４との接続箇所には、オーバーフロー管２が排水栓４に連通する開口部７全体をカバーするように逆流防止弁６が配設されている。
【００１３】
この逆流防止弁６は、オーバーフロー孔５からオーバーフロー管２への排水の流入のみによって、図２（Ａ）に示したように、その排水方向Ｗに沿って、たとえば、矢印Ｘに示したように開放する。一方、このような排水がない場合には、図２（Ｂ）のように、逆流防止弁６は閉じて、開口部７を塞いでいる。このため、洗面ボール１の排水口３からの排水は、オーバーフロー孔５へ逆流することはない。また、この逆流防止弁６の形状としては、図３の例のように四角形状でもよい。もちろん、円形状等のように他の形状でもよく、開口部７全体をカバーできるのであれば特に限定されるものではない。
【００１４】
なお、逆流防止弁６が閉じた状態のとき、図２（Ｂ）のように、この逆流防止弁６の周端部の少なくとも一部（たとえば、下端部６１）を、開口部７の周縁部の排水栓４内方側の少なくとも一部（たとえば、下縁部）に当接するように設けると、排水口３から流入する排水の水力によって、逆流防止弁６がオーバーフロー孔５側に押し開かれることを防止でき、好ましい。
【００１５】
そして、図１から図３に例示したように、オーバーフロー孔５から排水された湯水は、オーバーフロー管２を通じ、その水力で逆流防止弁６を矢印Ｘに示したように、排水栓４内方側に開放して排水栓４へと排水され、最終的に排水栓４と連結されている排水管８へと排水されることとなる。このとき、洗面ボール１に湯水を溜めて、洗面ボール１内の湯水を排水口３から排水しても、上記のとおり、オーバーフロー管２と排水栓４との接続箇所に逆流防止弁６が配設されているため、逆流を防止することができ、オーバーフロー孔５から湯水が出ず、見栄えもよい。
【００１６】
以上のとおり、本願発明の流水ボールオーバーフロー管の逆流防止構造は、流水ボールを構成する洗面ボール１の排水口３から排水した湯水を、オーバーフロー管２、そしてオーバーフロー孔５を介して、洗面ボール１へ逆流することを防止することができる。
【００１７】
また、本願発明における逆流防止弁６の配設についてさらに説明すると、図１から図３に例示したように、オーバーフロー管２と排水栓４との接続箇所で、開口部７をカバーするようにして、たとえば、逆流防止弁６の上端部を排水栓４に接続させることで、逆流防止弁６を配設することができる。また、図には示していないが、逆流防止弁は、折曲自在な柔軟材料を介して排水栓と同時成形（硬軟同時成形）によって設けられてもよい。
【００１８】
以上の実施形態においては、流水ボールとして、洗面台の洗面ボールを例にとって説明したが、流し台の食器洗い槽、ユニットバス等、オーバーフロー管を備えたボール全般に適用することができる。
【００１９】
もちろん、本願発明の流水ボールオーバーフロー管の逆流防止構造においては、以上の例示によって限定されるものではなく、その細部において様々な態様とすることが可能であることはいうまでもない。
【図面の簡単な説明】
【００２０】
【図１】本願発明の流水ボールオーバーフロー管の逆流防止構造の一実施形態を例示した断面図である。
【図２】図１のＡ部を例示した要部拡大断面図であり、（Ａ）はオーバーフロー孔から湯水が排水されている状態、（Ｂ）はオーバーフロー孔から湯水は排水されていない通常の状態を示している。
【図３】図１のＡ部を例示した要部拡大斜視図である。
【図４】従来の洗面台のオーバーフロー管を模式的に例示した図であり、（Ａ）は全体斜視図を、（Ｂ）は断面図を示している。
【符号の説明】
【００２１】
１  洗面ボール
２  オーバーフロー管
３  排水口
４  排水栓
５  オーバーフロー孔
６  逆流防止弁
６１  下端部
７  開口部
８  排水管
Ｗ  オーバーフロー孔からの排水の排水方向
１０１  洗面ボール
１０２  オーバーフロー孔
１０３  オーバーフロー管
１０４  排水口
１０５  排水栓
１０６  排水管
【図１】
2006265971.tif 000003
【図２】
2006265971.tif 000004
【図３】
2006265971.tif 000005
【図４】
2006265971.tif 000006